(57)【要約】【課題】  外部への漏洩磁界が低減されかつ安定した永久磁石梱包体を提供することを目的とする。【解決手段】  複数の永久磁石２を備えてなる磁石列であって、単一の磁石列において該永久磁石２の全ての磁化方向が同一で、該磁石列の向きと平行な向きである磁石列の複数を、隣り合う磁石列の磁化方向が逆向きとなるように備えてなる永久磁石梱包体１、およびその製造方法を提供する。【選択図】      図１
2005255235.tif 000002
【特許請求の範囲】
【請求項１】
複数の永久磁石を備えてなる磁石列であって、単一の磁石列において該永久磁石の全ての磁化方向が同一で、該磁石列の向きと平行な向きである磁石列の複数を、隣り合う磁石列の磁化方向が逆向きとなるように備えてなる永久磁石梱包体。
【請求項２】
前記永久磁石のいずれかのＮ極とその隣の永久磁石のＳ極との間の少なくとも１に設けられた梱包材をさらに備えてなる請求項１に記載の永久磁石梱包体。
【請求項３】
前記永久磁石の各々が、前記梱包材により覆われている請求項２に記載の永久磁石梱包体。
【請求項４】
複数の永久磁石を備えてなる永久磁石梱包体であって、梱包容器内に複数の永久磁石を配置して梱包する際に、同じ個数の永久磁石を配置する場合に、永久磁石間のＮ極からＳ極につないで閉じた直線の長さの合計が最小となる向きに、各永久磁石が配置されてなる永久磁石梱包体。
【請求項５】
複数の永久磁石を備えてなる磁石列を設けるステップであって、単一の磁石列において該永久磁石の全ての磁化方向が同一で、該磁石列の向きと平行な向きとなるように配置するステップと、
該永久磁石の磁石列の複数を、該磁石列の各々が、その隣の磁石列とは逆向きの磁化方向を有するように配置するステップと
を含む永久磁石梱包体の製造方法。
【請求項６】
複数の永久磁石を含む永久磁石梱包体の製造方法であって、梱包容器内に複数の永久磁石を配置して梱包する際に、同じ個数の永久磁石を配置する場合に、永久磁石間のＮ極からＳ極につないで閉じた直線の長さの合計が最小となる向きに、各永久磁石を配置するステップを含む永久磁石梱包体の製造方法。
【請求項７】
複数の永久磁石を運送する方法であって、該複数の永久磁石を含む請求項１〜４のいずれかに記載の永久磁石梱包体、または請求項５または６に記載の方法により製造された永久磁石梱包体により、該複数の永久磁石を運送するステップを含む永久磁石の運送方法。
【発明の詳細な説明】
【技術分野】
【０００１】
本発明は、永久磁石梱包体、その製造方法および永久磁石の運送方法に関するものである。
【背景技術】
【０００２】
近年、ＮｄＦｅＢ系希土類磁石に代表される強力な永久磁石が開発されている。これらの永久磁石は、コンピューターの部品であるハードディスクドライブのヘッド駆動装置や、医療診断装置であるＭＲＩなどに利用されており、その産業上の利用分野は拡大している。それに伴い、着磁された永久磁石を永久磁石メーカーから装置メーカーやユーザーへ送る流通量も拡大している。
【０００３】
一方、情報化社会の発展により、多くの情報が磁気記録媒体に書き込まれている。例えば、フロッピー（登録商標）ディスクはもとより、クレジットカードなど通常身に付けているものにも磁気記録の技術が使用されている。これらの磁気記録媒体は、外部からの磁界の影響に弱いという欠点がある。また、一般の人が身につける時計や携帯電話に対しても外部の磁界の影響は好ましいものでは無い。
【０００４】
着磁された永久磁石は、その磁石の種類、大きさや形状によって磁界強度は変わるが、常に磁界を発生させている。そのため、着磁された永久磁石を運送する際に、梱包された永久磁石からの漏洩磁界により、磁気記録媒体が破壊されたり、電子機器類が破壊されるおそれがあるという問題があった。
【０００５】
着磁した磁石を船便などで運ぶ際には、複数の磁石を１つの木箱等の容器に梱包することになる。その際、一般的には、それぞれの磁石がその磁力により吸着しても外せるような十分な空隙を確保できるように個々の磁石を梱包し、さらに、梱包された個々の磁石をより大きな容器に入れることになる。
【発明の開示】
【発明が解決しようとする課題】
【０００６】
従来、複数の着磁した永久磁石を一つの容器内に梱包する際には、特に明確な方針があるわけでは無かった。そのため、着磁した永久磁石を、それぞれの磁石が吸着しても外せるような十分な空隙を確保できるように個々の磁石を梱包した上で、それらの永久磁石の磁化方向が揃うように直列に入れることが一般的であった。しかしながら、このように磁石を梱包すると、複数の磁石が同じ方向を向くことになる。このため、これらの磁石は、外部に対して、１つの大きな磁石として振るまい、外部への漏洩磁界は大きくなってしまう。容器の内側に鉄板を貼り付けることで漏洩磁界の低減が可能になるものの、磁化方向を揃えて入れていたのでは、複数の磁石を１つの大きな磁石として扱うことになるため、鉄板の量も増えてしまいそれにより容器が重くなるという問題点があった。
【０００７】
そこで、本発明は、外部への漏洩磁界が低減されかつ安定した永久磁石梱包体を提供することを目的とする。
【課題を解決するための手段】
【０００８】
本発明の１の側面によると、複数の永久磁石を備えてなる磁石列であって、単一の磁石列において該永久磁石の全ての磁化方向が同一で、該磁石列の向きと平行な向きである磁石列の複数を、隣り合う磁石列の磁化方向が逆向きとなるように備えてなる永久磁石梱包体が提供される。また、本発明の他の側面によると、複数の永久磁石を備えてなる永久磁石梱包体であって、梱包容器内に複数の永久磁石を配置して梱包する際に、同じ個数の永久磁石を配置する場合に、永久磁石間のＮ極からＳ極につないで閉じた直線の長さの合計が最小となる向きに、各永久磁石が配置されてなる永久磁石梱包体が提供される。
【０００９】
また、本発明の他の側面によると、複数の永久磁石を、それらの磁化方向が同一の向きとなるように配置し、磁石列を設けるステップと、該永久磁石の磁石列の複数を、該磁石列の各々が、その隣の磁石列とは逆向きの磁化方向を有するように配置するステップとを含む永久磁石梱包体の製造方法が提供される。また、本発明の他の側面によると、複数の永久磁石を含む永久磁石梱包体の製造方法であって、梱包容器内に複数の永久磁石を配置して梱包する際に、同じ個数の永久磁石を配置する場合に、永久磁石間のＮ極からＳ極につないで閉じた直線の長さの合計が最小となる向きに、各永久磁石を配置するステップを含む永久磁石梱包体の製造方法が提供される。
【００１０】
また、本発明の他の側面によると、複数の永久磁石を運送する方法であって、前記永久磁石梱包体により、該複数の永久磁石を運送するステップを含む永久磁石の運送方法が提供される。
【発明の効果】
【００１１】
例えば、本発明は、個々の磁石を取り外せるようにそれぞれ個別に発泡スチロールやダンボール等により梱包した後に、それを大きな箱に入れる際に、適用できるものである。複数の磁石を梱包する場合には、並べ方には様々な方法が取り得ると考えられるが、磁石の磁化方向が全て同じ方向に並べると、磁石同士が吸引するため安定した状態で梱包できる。しかし、そうすると外からは大きな１つの磁石として見えてしまい、漏れ磁場が大きくなるという問題がある。一方、全て反発するように入れると、磁石の磁束同士が打ち消しあう方向になるため漏れ磁場は小さくなるが、安定した状態とはならない。一方で、以下に詳細に説明するように、本発明によると、外部への漏洩磁界が低減されかつ安定した永久磁石梱包体が提供され、本発明にかかる永久磁石梱包体を利用することで、複数の永久磁石を好適に、輸送、保管等することができる。
【発明を実施するための最良の形態】
【００１２】
以下に、本発明の実施の形態を、添付図面を参照しながら説明する。もっとも、以下に説明する実施の形態は本発明を限定するものではない。
【００１３】
本発明を適用できる磁石は、特に限定されるものではなく、焼結系、ボンド系のいずれの磁石でもよく、希土類（Ｎｄ、Ｓｍ系等）、フェライト、アルニコ等の磁石があげられる。本発明は、それらの中でも磁力が強く、漏洩磁界が大きくなるエネルギー積２００ｋＪ／ｍ3以上の希土類焼結磁石の場合に特に有効である。なお、磁石の形状は、特に限定されるものではなく、立方体、直方体、円柱、球、円筒、リング等いずれからも選ぶことができる。なお、複数の永久磁石の各々は、互いに異なる種類、材質、エネルギー積、形状とすることができるが、同一の種類等の永久磁石とすると好ましい。より安定して各磁石を配置することがより容易にできるからである。
【００１４】
梱包する永久磁石の数は、偶数であることが好ましい。以下に詳細に説明するように、同一の数の永久磁石を有する磁石列の列数を偶数とすることで、全ての永久磁石についてＮ極Ｓ極間を閉じるように結んだ線の長さの合計をより短く設定でき、より安定して各磁石を配置することができるからである。
【００１５】
磁石の個数に応じて、様々な磁石の配置を採用することができる。例えば、以下の規則に従って磁石を配置することができる。すなわち、本発明の１の実施形態にかかる永久磁石梱包体は、複数の永久磁石を備えてなる磁石列であって、単一の磁石列において該永久磁石の全ての磁化方向が同一で、該磁石列の向きと平行な向きである磁石列の複数を備えてなる。磁石を、同一の磁石列内において、同一で、当該磁石列の向きと平行な磁化方向となるように配置することで、各磁石列は、各磁石間の磁力による吸引により安定した状態となる。ここで、各磁石列の含む永久磁石の数は、同一とすると好ましい。以下に詳細に説明するように、全ての永久磁石についてＮ極Ｓ極間を閉じるように結んだ線の長さの合計をより短く設定でき、より安定して各磁石を配置することができるからである。
【００１６】
さらに、本実施形態にかかる永久磁石梱包体は、該磁石列の複数を、隣り合う磁石列の磁化方向が逆向きとなるように配置する。磁石列をこのように配置することにより、隣り合う磁石列間も磁力による吸引で安定した状態となる。加えて、磁石列をこのように配置することにより、逆向きに配置された永久磁石の磁束同士が打ち消しあうので、外部への漏れ磁場が小さい状態で、永久磁石を梱包できる。ここで、磁石列の磁化方向とは、磁石列に含まれる複数の永久磁石の磁化方向（これらは同一の磁化方向を有する）をいうものとする。また、本明細書にあっては、磁石列Ａの最も近くに位置する磁石列が磁石列Ｂの場合、磁石列Ａと磁石列Ｂとは隣り合うというものとする。すなわち、２つの磁石列が隣り合うとは、当該磁石列の少なくとも一方の最も近くに位置する磁石列が、当該磁石列の他方であることをいう。また、磁石列は、隣り合う磁石列のＮ極側の端およびＳ極側の端の少なくとも一方、好ましくは両方をそろえて配置することが好ましい。Ｎ極Ｓ極間を閉じるように結んだ線の長さの合計をより短く設定でき、より安定して各磁石を配置することができるからである。ここで、磁石列は、平面上に配置することもできるし、空間的に、すなわち三次元的に複数並べて配置することもできる。さらに、磁石列を二次元的にまたは三次元的に配列してなる永久磁石梱包体を、積み上げて輸送等することも可能である。
【００１７】
なお、磁石列の数は、偶数とすると好ましい。磁石列の数を偶数とすると、以下に詳細に説明するように、磁石列間でＮ極とＳ極とを結ぶ線の長さを最小とでき、より安定して各磁石を配置することができるからである。一方で、磁石列の数を奇数とすると、磁石列間でＮ極とＳ極とを結ぶ線の１本がどうしても列の長さ分発生してしまう場合がある。また、磁石列の数を偶数とすると、各磁石列の含む永久磁石の数を同一とすることで、逆向きに配置された永久磁石の磁束同士を効果的に打ち消し合わせることが可能となり、効果的に外部への漏れ磁場を低減させることができる。一方で、磁石列の数を奇数とすると、逆向きに配置された永久磁石の磁束同士を効果的に打ち消し合わせるための配置がより複雑になる。
【００１８】
また、上記したように、本発明の他の実施形態によると、複数の永久磁石を備えてなる永久磁石梱包体であって、梱包容器内に複数の永久磁石を配置して梱包する際に、同じ個数の永久磁石を配置する場合に、永久磁石間のＮ極からＳ極につないで閉じた直線、換言すると、該永久磁石の全てについて、該永久磁石の各々のＮ極と、その他の永久磁石のいずれかのＳ極とを、閉じるように結んだ直線の長さの合計が最小となる向きに、各永久磁石が配置されてなる永久磁石梱包体が提供される。すなわち、本発明者らは検討の結果、Ｎ極からＳ極につないでいった線の合計の長さが最小になるように、永久磁石を配列することで、漏れ磁場が小さくかつ安定して配置することができることを見出した。すなわち、複数の永久磁石を梱包する際に、上記したように全ての永久磁石についてＮ極Ｓ極間を閉じるように結んだ線の長さの合計がより短くなるように、各永久磁石の磁束の向きを設定することで、同じ数の永久磁石を同じ位置に配置する際に、磁化方向が異なるように配置した場合と比べて、永久磁石からの漏れ磁場をより小さくし、さらに永久磁石をより安定して配置することができる。前記長さが最小となるように永久磁石を配置する場合、各永久磁石が形成する磁場が打ち消しあうように各永久磁石の磁化方向を設定することになり、これにより漏洩磁界を低減でき、また、Ｎ極Ｓ極間の長さをより短くすることで、当該磁石間および磁石列間の磁力による吸着力をより大きくでき、これにより磁石をより安定化させることができるためである。
【００１９】
ここで、１の磁石のＮ極とその他の磁石のＳ極とを結ぶ線は、永久磁石梱包体に含まれる永久磁石の全てについて、Ｎ極とＳ極とを、閉じるように結んだ際に、そのＮ極Ｓ極間を結ぶ線の長さの合計が、最小になるように選ぶものとする。このとき、各磁石は、２本の線により、そのＮ極とＳ極において、他の磁石と結ばれる。ここで、閉じるように結ぶとは、上記線により全ての永久磁石が環状につながれることをいう。
【００２０】
先述の実施形態である、複数の永久磁石を備えてなる磁石列であって、単一の磁石列において該永久磁石の全ての磁化方向が同一で、該磁石列の向きと平行な向きである磁石列の複数を、隣り合う磁石列の磁化方向が逆向きとなるように備えてなる永久磁石梱包体にあっては、磁石間のＮ極とＳ極を結ぶ線の長さの合計は、ほぼ磁石間の梱包材の寸法の分のみとすることができる。すなわち、当該実施の形態にかかる永久磁石梱包体にあっては、Ｎ極とＳ極を結ぶ線の長さの合計は、同一の磁石列内において隣り合う永久磁石間のＮ極とＳ極とを結ぶ線の長さと、該磁石列のＮ極側の端の磁石のＮ極とその隣の磁石列Ｓ極側の端の磁石のＳ極とを結ぶ線の長さと、該磁石列のＳ極側の端の磁石のＳ極とその隣の磁石列Ｎ極側の端の磁石のＮ極とを結ぶ線の長さとの合計である。ここで、同一の磁石列内において隣り合う永久磁石間のＮ極とＳ極とを結ぶ線の長さは、当該磁石間に設けられた梱包材の厚さのみとすることができる。また、各磁石列に含まれる永久磁石の数を同一とすることで、各磁石列のＮ極側の端とＳ極側の端との間の長さを等しくすることができるが、この場合、各磁石列をそれらの端をそろえて配置することで、磁石列間のＮ極とＳ極とを結ぶ線の長さは、各磁石間に設けられた梱包材の厚さのみとすることができる。一方で、従来のように、着磁した永久磁石を、それらの永久磁石の磁化方向が揃うように直列に梱包した場合、磁石間のＮ極とＳ極を結ぶ線は最短距離となっているが、一番端のＮ極とＳ極を結んだ線は磁石の磁化方向の寸法と磁石個々の梱包の寸法の和となる。なお、梱包材については、後述する。
【００２１】
図１に、本発明にかかる永久磁石梱包体の模式図を示す。図１（ａ）は、４つの永久磁石を２列に配置したものを示す。図１（ｂ）は、６つの永久磁石を２列に配置したものを示す。図１（ｃ）は、８つの永久磁石を２列に配置したものを示す。図１（ｄ）は、８つの永久磁石を２列２段に配置したものを示す。図１（ｄ）上段は、模式的な平面図であり、図１（ｄ）下段は、模式的な正面図である。図中、矢印で各永久磁石の磁化方向を示す。すなわち、４つの永久磁石を梱包する場合、図１（ａ）に示すように、梱包材３により覆った各永久磁石２を２列に配置し、梱包し、本発明にかかる永久磁石梱包体１とすることができる。この際、同じ列における磁石の磁化方向は同一とし、異なる列の磁化方向を逆向きとする。同様に、６つまたは８つの永久磁石を梱包する場合、図１（ｂ）（ｃ）に示すように、梱包材により覆った各磁石を２列に配置し、梱包することができる。すなわち、６つの永久磁石の場合は、列が偶数になるように３つの永久磁石で１列を、８つの永久磁石の場合は、４つの永久磁石で１列を作る。この際、同じ列における磁石の磁化方向は同一とし、異なる列の磁化方向を逆向きとする。図１（ｄ）に、８個の場合については３次元的に配置した場合も示す。何れも磁石間のＮ極からＳ極につないで閉じた線の合計の距離が最小となるように配列する。なお、８個の場合は、２次元的に配置した場合でも、３次元的に配置した場合でもＮ極とＳ極とを結ぶ線の長さは同一となり、例えば、厚さ１０ｍｍの梱包材に覆われた７０×４０×１０ｍｍの直方体の磁石を梱包する場合、どちらも１６０ｍｍとなる。このように、複数の配置方法により、同様に漏洩磁界を低減できる場合があり、このような場合、配置の方法は、磁石の全体を梱包するケースの形状や、磁石の形状等に合わせ適宜選択すればよい。
【００２２】
なお、特に限定されるものではないが、個々の永久磁石間の距離は、当該永久磁石間の磁力による吸着力が１０ｋｇ以下になるようにすることが好ましい。１０ｋｇ以下であれば、磁石間の吸引力を手で扱うことが容易であるためである。なお、以下に詳細に説明するように、永久磁石間に梱包材を設けることで、永久磁石間の距離を調節することができる。
【００２３】
また、本発明にかかる永久磁石梱包体は、前記磁石列の全てを梱包するためのケースを備えてなることが好ましい。また、本発明にかかる永久磁石梱包体は、前記永久磁石のいずれかのＮ極とその隣の永久磁石のＳ極との間の少なくとも１、好ましくは全てに設けられた少なくとも１つの梱包材をさらに備えてなることが好ましい。さらに、前記永久磁石の少なくとも１つ、好ましくは全ての各々が、前記梱包材により覆われていることが好ましい。ここで、永久磁石が梱包材に覆われているは、永久磁石の全体が梱包材により覆われているものの他、永久磁石の一部、好ましくは他の永久磁石と対向する面に関して、梱包材により覆われているものも含む。また、複数の永久磁石が、共に梱包材に覆われてもよく、各々の永久磁石が、個別に覆われてもよい。
【００２４】
梱包用ケースおよび梱包材は、特に限定されるものではなく、発泡スチロール、ウレタンフォーム、ダンボールなどの一般的な非磁性体を用いることができる。特に、永久磁石間に設ける梱包材は、発泡スチロール、ウレタンフォームなどのクッション材を用いると好ましい。
【００２５】
より具体的には、個々の永久磁石を、発泡スチロールやダンボールなどの一般的な非磁性体からなる包装材で包装し、包装された個々の永久磁石を輸送用ケース等に梱包することができる。また、個々の永久磁石を、発泡スチロールやウレタンフォームなどのクッション材に、上記長さが最小になるような埋め込み配置になるようにして設置し、梱包することができる。すなわち、クッション材に、上記長さが最小になるように、梱包する永久磁石の各々を挿入するための開口部を設け、当該開口部に、永久磁石を挿入することで、磁石を梱包することができる。また、配置した磁石と梱包材の隙間および磁石間には、発泡スチロールやウレタンフォームなどのクッション材をさらに追加してもよい。
【実施例】
【００２６】
以下に、本発明の実施例を、添付図面を参照しながら説明する。もっとも、以下に説明する実施例は本発明を限定するものではない。
【００２７】
図２に、本実施例および比較例にかかる永久磁石梱包体の模式図を示す。着磁した７０×４０×１０ｍｍの直方体の磁石４個（エネルギー積３２０ｋＪ／ｍ3）を４００×３００×１５０ｍｍのダンボール箱に入れて梱包した。磁石間が吸引で外せなくならないように、磁石の周囲は発泡スチロールで１０ｍｍの厚さで個別に梱包してある。実施例として、４つの永久磁石２を２行２列に並べ、永久磁石梱包体１とした（図２（ｃ））。本実施例にあっては、同じ列における磁石の磁化方向は同一とし、異なる列の磁化方向を逆向きとした。比較例１として、４つの磁石を１列に並べ、永久磁石梱包体１０とした（図２（ａ））。各磁石の磁化方向は同一とした。さらに比較例２として、４つの磁石を２行２列に並べ、永久磁石梱包体１０とした（図２（ｂ））。比較例２にあっては、同じ列における磁石の磁化方向は同一とし、異なる列の磁化方向も同一とした。
【００２８】
ここで、磁石間のＮ極からＳ極につないでいった線の合計の距離は、比較例１では１６０ｍｍ，比較例２では１３０ｍｍ、本実施例では８０ｍｍとなる。すなわち、比較例１にあっては、各磁石のＮ極Ｓ極間の２０ｍｍが３箇所と、Ｎ極側の端とＳ極側の端との間の１００ｍｍとの合計で、１６０ｍｍとなる。比較例１にあっては、同一列における磁石のＮ極Ｓ極間の２０ｍｍが２箇所と、異なる列間における一方のＮ極側の端と他方のＳ極側の端との間の４５ｍｍとの合計で、１３０ｍｍとなる。本実施例にあっては、同一列における磁石のＮ極Ｓ極間の２０ｍｍが２箇所と、異なる列間における一方のＮ極側の端と他方のＳ極側の端との間の２０ｍｍとの合計で、８０ｍｍとなる。
【００２９】
実施例および比較例について、磁石の中心から５００ｍｍ離れた位置Ａでの漏洩磁界の強さを、漏洩磁場はガウスメーターにより測定した。比較例１の場合、漏洩磁界の強さは１２７Ａ／ｍであった。比較例２の場合、漏洩磁界の強さは９６Ａ／ｍであった。本実施例の場合、漏洩磁界の強さは８Ａ／ｍであった。このように、本実施例にあっては、従来のように、単純に磁石を１列に並べた場合と比較して、漏れ磁場を１６分の１まで低減させることができた。
【００３０】
このように、本発明によると、複数の着磁した磁石を梱包する際に、漏洩磁界を軽減させることができ、保管、輸送等においても漏洩磁界がなく、磁石特性を維持することが可能である。
【図面の簡単な説明】
【００３１】
【図１】本発明にかかる永久磁石梱包体の模式図を示す。（ａ）は、４つの永久磁石を２列に配置したものを示す。（ｂ）は、６つの永久磁石を２列に配置したものを示す。（ｃ）は、８つの永久磁石を２列に配置したものを示す。（ｄ）は、８つの永久磁石を２列２段に配置したものを示す。（ｄ）上段は、模式的な平面図であり、（ｄ）下段は、模式的な正面図である。
【図２】実施例および比較例にかかる永久磁石梱包体の模式図を示す。
【符号の説明】
【００３２】
１、１０    永久磁石梱包体
２    永久磁石
３    梱包材
【図１】
2005255235.tif 000003
【図２】
2005255235.tif 000004